(57)【要約】【課題】小型化できるプロジェクターを提供すること。【解決手段】画像が透過される開口部を有する外装筐体と、開口部を開閉するシャッター装置５とを備え、シャッター装置５は、羽根部材（遮蔽羽根５７，５８）と、閉塞方向及び開放方向に羽根部材を移動させる移動手段と、羽根部材の移動を規制する移動規制部５１Ｂ１〜５１Ｂ８とを有し、羽根部材は、少なくとも一部が互いに重なって配置され、互いに同方向に移動して開口部の少なくとも一部を閉塞及び開放する第１羽根（内側羽根５７１，５８１）及び第２羽根（外側羽根５７２，５８２）を有し、第２羽根は、第１羽根との摩擦抵抗によって第１羽根と同方向に移動され、移動規制部は、閉塞方向に移動されて所定位置まで移動された第２羽根に当接して、当該閉塞方向への第２羽根の更なる移動を規制する第２羽根用規制部（移動規制部５１Ｂ１，５１Ｂ５）を含む。【選択図】図５
2015011053.tif 000002
【特許請求の範囲】
【請求項１】
画像が透過される開口部を有し、外装を構成する外装筐体と、
前記開口部を開閉するシャッター装置と、を備え、
前記シャッター装置は、
羽根部材と、
前記開口部が閉塞される閉塞方向、及び、前記開口部が開放される開放方向に前記羽根部材を移動させる移動手段と、
前記羽根部材と当接して、前記羽根部材の移動を規制する移動規制部と、を有し、
前記羽根部材は、少なくとも一部が互いに重なって配置され、互いに同方向に移動して前記開口部の少なくとも一部を閉塞及び開放する第１羽根及び第２羽根を有し、
前記第２羽根は、前記移動手段により前記第１羽根が移動されると、前記第１羽根との摩擦抵抗によって同方向に移動され、
前記移動規制部は、前記閉塞方向に移動されて所定位置まで移動された前記第２羽根に当接して、前記閉塞方向への前記第２羽根の更なる移動を規制する第２羽根用規制部を含む
ことを特徴とするプロジェクター。
【請求項２】
請求項１に記載のプロジェクターにおいて、
前記第１羽根及び前記第２羽根のうちの一方に対して他方が近接する方向に付勢する羽根用付勢部材を備える
ことを特徴とするプロジェクター。
【請求項３】
請求項１又は請求項２に記載のプロジェクターにおいて、
前記移動手段は、前記第１羽根を移動させる駆動力を伝達する伝達手段を備え、
前記伝達手段は、
伝達された駆動力により回転する第１ギア部と、
前記第１ギア部とは別体として構成され、前記第１ギア部と同軸に配置されて前記第１ギア部との摩擦抵抗によって前記第１ギア部と同方向に回転する第２ギア部と、
前記第１ギア部及び前記第２ギア部のうち一方に対して他方が近接する方向に付勢するギア用付勢部材と、を有する
ことを特徴とするプロジェクター。
【請求項４】
請求項１から請求項３のいずれかに記載のプロジェクターにおいて、
前記羽根部材は、少なくとも一部が互いに重なって配置され、互いに同方向に回動して前記開口部の少なくとも一部を閉塞及び開放する第３羽根及び第４羽根を有し、
前記第４羽根は、前記移動手段により前記第３羽根が移動されると、前記第３羽根との摩擦抵抗によって同方向に移動され、
前記第１羽根及び前記第２羽根は、前記開口部の径方向における一方の領域を開閉し、
前記第３羽根及び前記第４羽根は、前記開口部の径方向における他方の領域を開閉し、
前記第１羽根及び前記第２羽根と前記第３羽根及び前記第４羽根とは、前記開口部を閉塞する際には互いに近接し、前記開口部を開放する際には互いに離間する方向に移動する
ことを特徴とするプロジェクター。
【請求項５】
請求項４に記載のプロジェクターにおいて、
前記移動手段は、
前記開口部より大きな内径を有し、前記開口部の端縁に沿って配置されて、伝達される駆動力によって回転するリングギアと、
前記リングギアと係合して、前記リングギアから伝達される駆動力により前記第１羽根を移動させる第１羽根用駆動部と、
前記リングギアと係合して、前記リングギアから伝達される駆動力により前記第３羽根を移動させる第３羽根用駆動部と、を備える
ことを特徴とするプロジェクター。
【請求項６】
請求項１から請求項５のいずれかに記載のプロジェクターにおいて、
前記移動手段は、
前記羽根部材を移動させる駆動力を発生させる駆動手段と、
前記駆動手段で生じた駆動力が伝達されて回転し、当該駆動力を伝達する伝達ギアと、
前記伝達ギアを支持するギア支持手段と、を備え、
前記ギア支持手段は、
前記伝達ギアを挿通するピンと、
前記ピンが挿通され、前記伝達ギアに当接される環状体と、
前記ピンに取り付けられて前記環状体に当接し、前記環状体を前記伝達ギア側に付勢する環状体付勢部材と、を備え、
前記ピン及び前記環状体の少なくともいずれかは、前記環状体が前記伝達ギアとともに回転することを規制する回転規制部を有する
ことを特徴とするプロジェクター。
【請求項７】
請求項１から請求項６のいずれかに記載のプロジェクターにおいて、
前記移動規制部は、前記開放方向に移動して少なくとも一部が前記開口部の外側に移動した前記第１羽根に当接して、前記開放方向への前記第１羽根の更なる移動を規制する第１羽根用規制部を有する
ことを特徴とするプロジェクター。
【発明の詳細な説明】
【技術分野】
【０００１】
本発明は、プロジェクターに関する。
【背景技術】
【０００２】
従来、光源装置と、当該光源装置から出射された光を変調して画像情報に応じた画像を形成する光変調装置と、当該画像をスクリーン等の被投射面上に拡大投射する投射光学装置とを備えたプロジェクターが知られている。このようなプロジェクターとして、外部に露出する投射光学装置を保護するシャッターを備えたプロジェクターが知られている（例えば、特許文献１参照）。
【０００３】
この特許文献１に記載のプロジェクターは、投射光学装置（投射レンズ）等を内部に収納する外装筐体を備え、当該外装筐体は、投射光学装置を露出させる開口部と、当該開口部を閉塞する板状のシャッターとを備える。このシャッターは、外装筐体において当該開口部が形成された面に沿って移動可能に構成されている。このシャッターが一方に移動されると開口部が開放されて投射光学装置が露出され、これにより、画像を被投射面上に投射可能な状態となる。また、シャッターが他方に移動されると開口部が閉塞されるので、投射光学装置を保護できる。
【先行技術文献】
【特許文献】
【０００４】
【特許文献１】特開２０１０−２６２１２４号公報
【発明の概要】
【発明が解決しようとする課題】
【０００５】
しかしながら、特許文献１に記載のプロジェクターが備えるシャッターでは、板状のシャッターを退避させるスペースを外装筐体内に設ける必要があることから、プロジェクターが大型となるという問題がある。
【０００６】
本発明は、小型化できるプロジェクターを提供することを目的の１つとする。
【課題を解決するための手段】
【０００７】
本発明の一態様に係るプロジェクターは、画像が透過される開口部を有し、外装を構成する外装筐体と、前記開口部を開閉するシャッター装置と、を備え、前記シャッター装置は、羽根部材と、前記開口部が閉塞される閉塞方向、及び、前記開口部が開放される開放方向に前記羽根部材を移動させる移動手段と、前記羽根部材と当接して、前記羽根部材の移動を規制する移動規制部と、を有し、前記羽根部材は、少なくとも一部が互いに重なって配置され、互いに同方向に移動して前記開口部の少なくとも一部を閉塞及び開放する第１羽根及び第２羽根を有し、前記第２羽根は、前記移動手段により前記第１羽根が移動されると、前記第１羽根との摩擦抵抗によって同方向に移動され、前記移動規制部は、前記閉塞方向に移動されて所定位置まで移動された前記第２羽根に当接して、前記閉塞方向への前記第２羽根の更なる移動を規制する第２羽根用規制部を含むことを特徴とする。
【０００８】
上記一態様によれば、開口部の少なくとも一部を開閉する第１羽根及び第２羽根は、少なくとも一部が互いに重なって配置され、第１羽根の移動に伴って第２羽根が当該第１羽根と同方向に移動する。これによれば、開口部を開放する際に、当該開口部の外側にて互いに重なるように第１羽根及び第２羽根を配置できる。従って、第１羽根及び第２羽根の退避スペースを小さくすることができるので、プロジェクターを小型化できる。
【０００９】
ここで、互いに重なる複数の羽根部材をそれぞれ同方向に移動させる場合には、一方の羽根部材に他方の羽根部材側に突出する突出部を設け、当該他方の羽根部材に突起と係合する係合部を設け、一方の羽根部材の移動に応じて他方の羽根部材を移動させる構成とすることが考えられる。しかしながら、このような構成では、各羽根部材が適切に組み合わされるように上記突出部及び係合部が精度よく設けられている必要がある他、これら羽根部材を精度よく組み合わせる必要がある。
これに対し、上記一態様では、第２羽根は、当該第２羽根と重ね合わされる第１羽根との摩擦抵抗によって、当該第１羽根と同方向に移動する。これによれば、上記突出部及び係合部を別途設ける必要がない他、第１羽根及び第２羽根の製造精度及び組み合わせ精度が比較的低くても、第１羽根の移動に伴って第２羽根を移動させることができる。従って、第１羽根及び第２羽根の構成及び組み合わせを簡略化できる他、第１羽根及び第２羽根を簡易に製造できる。
【００１０】
ところで、第２羽根は、第１羽根との摩擦抵抗によって当該第１羽根と同方向に移動することから、第１羽根及び第２羽根において開口部内に位置する少なくとも一部が互いに重なった状態で当該第１羽根及び第２羽根は移動する。この際、第１羽根及び第２羽根を開口部外に配置する際には上記退避スペースを小さくすることができる。しかしながら、第１羽根及び第２羽根により開口部の少なくとも一部を閉塞しようとすると、第１羽根及び第２羽根は、少なくとも一部が互いに重なった状態で移動することから、それぞれが離間しづらく、当該各羽根により閉塞される開口部内の領域が小さくなる。
【００１１】
これに対し、第１羽根とともに上記閉塞方向に移動する第２羽根が、所定位置に移動した際には、第２羽根用規制部により、閉塞方向への第２羽根の更なる移動が規制される。この状態で、第１羽根を閉塞方向に更に移動させることで、第１羽根と第２羽根とを離間させることができる。従って、各羽根により閉塞される開口部内の領域を拡大できる。
なお、第１羽根と第２羽根とが離間した状態から、第１羽根が開放方向に移動されると、当該第１羽根は第２羽根と重なることとなり、これらの間の抵抗値は大きくなる。そして、当該抵抗値が閾値を超えたときに、第２羽根は第１羽根とともに移動する。このため、第１羽根とともに第２羽根を確実に開放方向に移動させることができる他、当該第１羽根と第２羽根とが重なった状態で、開口部の外側に位置させることができる。
【００１２】
上記一態様では、前記第１羽根及び前記第２羽根のうちの一方に対して他方が近接する方向に付勢する羽根用付勢部材を備えることが好ましい。
上記一態様によれば、羽根用付勢部材の付勢力により、第１羽根と第２羽根とを確実に接触させることができる。従って、第１羽根との摩擦抵抗により、当該第１羽根の移動に伴って第２羽根を同方向に確実に移動させることができる。
【００１３】
上記一態様では、前記移動手段は、前記第１羽根を移動させる駆動力を伝達する伝達手段を備え、前記伝達手段は、伝達された駆動力により回転する第１ギア部と、前記第１ギア部とは別体として構成され、前記第１ギア部と同軸に配置されて前記第１ギア部との摩擦抵抗によって前記第１ギア部と同方向に回転する第２ギア部と、前記第１ギア部及び前記第２ギア部のうち一方に対して他方が近接する方向に付勢するギア用付勢部材と、を有することが好ましい。
【００１４】
ここで、閉塞方向に移動されて第１羽根が開口部を閉塞する位置に配置された状態、及び、開放方向に移動されて第１羽根が開口部を開放する位置に移動された状態で、第１羽根の更なる移動が規制されている場合に、当該第１羽根を更に移動させる駆動力が伝達されると、当該第１羽根に負荷がかかる。この際、移動手段として上記駆動力を発生させるモーター等の駆動手段が設けられている場合には、当該駆動手段にも負荷がかかる。
【００１５】
これに対し、上記一態様によれば、第１羽根の移動が規制され、第２ギア部が回転できない状態で上記駆動力が第１ギア部に伝達された場合、ギア用付勢部材による付勢力が作用されていても、第２ギア部に対して別体である第１ギア部を空転させることができる。従って、第２ギア部を介して上記駆動力が伝達されることを抑制でき、第１羽根や上記駆動手段に負荷がかかることを抑制できる。
なお、第１羽根の移動が規制されておらず、当該第１羽根に上記駆動力を伝達する第２ギア部が回転可能な状態で、上記駆動力が第１ギア部に伝達された場合、第１ギア部の回転に伴って、当該第１ギア部との摩擦抵抗により第２ギア部を同方向に回転させることができる。従って、第２ギア部を介して上記駆動力を伝達できる。この際、上記ギア用付勢部材により、第１ギア部と第２ギア部とを確実に接触させることができ、第１ギア部の回転に伴って第２ギア部を確実に回転させることができる。
【００１６】
上記一態様では、前記羽根部材は、少なくとも一部が互いに重なって配置され、互いに同方向に回動して前記開口部の少なくとも一部を閉塞及び開放する第３羽根及び第４羽根を有し、前記第４羽根は、前記移動手段により前記第３羽根が移動されると、前記第３羽根との摩擦抵抗によって同方向に移動され、前記第１羽根及び前記第２羽根は、前記開口部の径方向における一方の領域を開閉し、前記第３羽根及び前記第４羽根は、前記開口部の径方向における他方を領域を開閉し、前記第１羽根及び前記第２羽根と前記第３羽根及び前記第４羽根とは、前記開口部を閉塞する際には互いに近接し、前記開口部を開放する際には互いに離間する方向に移動することが好ましい。
【００１７】
上記一態様によれば、開口部の径方向における一方の領域は、第１羽根及び第２羽根により開閉され、他方の領域は、第３羽根及び第４羽根により開閉される。これら第１羽根及び第２羽根と、第３羽根及び第４羽根とは、互いに近接及び離間する方向に移動して、開口部を閉塞及び開放する。これによれば、シャッター装置が、第１羽根及び第２羽根のみを有する場合に比べ、各羽根の移動量を小さくすることができる。従って、開口部の開閉に伴う時間を短縮でき、当該開口部を迅速に開閉できる。
【００１８】
上記一態様では、前記移動手段は、前記開口部より大きな内径を有し、前記開口部の端縁に沿って配置されて、伝達される駆動力によって回転するリングギアと、前記リングギアと係合して、前記リングギアから伝達される駆動力により前記第１羽根を移動させる第１羽根用駆動部と、前記リングギアと係合して、前記リングギアから伝達される駆動力により前記第３羽根を移動させる第３羽根用駆動部と、を備えることが好ましい。
上記一態様によれば、開口部の端縁に沿って配置されるリングギアと係合する第１羽根用駆動部により第１羽根が移動され、当該リングギアと係合する第３羽根用駆動部により第３羽根が移動される。これによれば、互いに同期をとって第１羽根と第３羽根とを移動させることができる。従って、各羽根による開口部の開閉を迅速かつ円滑に実施できる。
【００１９】
上記一態様では、前記移動手段は、前記羽根部材を移動させる駆動力を発生させる駆動手段と、前記駆動手段で生じた駆動力が伝達されて回転し、当該駆動力を伝達する伝達ギアと、前記伝達ギアを支持するギア支持手段と、を備え、前記ギア支持手段は、前記伝達ギアを挿通するピンと、前記ピンが挿通され、前記伝達ギアに当接される環状体と、前記ピンに取り付けられて前記環状体に当接し、前記環状体を前記伝達ギア側に付勢する環状体付勢部材と、を備え、前記ピン及び前記環状体の少なくともいずれかは、前記環状体が前記伝達ギアとともに回転することを規制する回転規制部を有することが好ましい。
【００２０】
なお、駆動手段としては、回転軸にギアが設けられたモーターを例示できる。また、環状体付勢部材としては、コイルばねを例示できる。
ここで、伝達ギアが駆動力を適切に伝達するためには、駆動手段のギアや他のギアと伝達ギアとの係合状態（噛合状態）を適切な状態で維持する必要がある。このため、伝達ギアを挿通するピンに環状体を挿通させて当該伝達ギアに当接させ、環状体付勢部材により当該環状体を伝達ギア側に付勢することで、伝達ギアの位置がずれないように構成することで、上記係合状態を維持することが考えられる。しかしながら、環状体が伝達ギアに付勢されているため、当該環状体が、伝達ギアとの摩擦抵抗により当該伝達ギアの回転に伴って回転してしまう場合がある。このように環状体が回転すると、当該環状体に付勢力を作用させている環状体付勢部材も回転してしまう可能性が生じる。
このような環状体付勢部材がコイルばねで構成されている場合、当該コイルばねは環状体と面で接触するのではなく一部で接触する。このため、コイルばねが回転される状態と回転されない状態とが生じ、駆動手段に加わる負荷が変動する。このような場合、駆動手段の通常の駆動音とは異なる異音（唸り音）が生じる場合がある。
【００２１】
これに対し、上記一態様によれば、環状体と当該環状体を挿通するピンとの少なくともいずれかは、伝達ギアとともに環状体が回転することを規制する回転規制部を有する。これによれば、環状体の回転が規制されるので、当該環状体とともに環状体付勢部材が回転することを規制できる。従って、上記異音が生じることを抑制できる。
【００２２】
上記一態様では、前記移動規制部は、前記開放方向に移動して少なくとも一部が前記開口部の外側に移動した前記第１羽根に当接して、前記開放方向への前記第１羽根の更なる移動を規制する第１羽根用規制部を有することが好ましい。
上記一態様によれば、第１羽根用規制部により、開放方向に移動した第１羽根を、開口部が開放された場合の位置に配置させることができる。この際、上記のように、第２羽根は、第１羽根とともに移動するので、当該位置に第１羽根が移動された際には、第２羽根の少なくとも一部も開口部の外側に位置させることができる。従って、開口部を確実に開放できる。
【図面の簡単な説明】
【００２３】
【図１】本発明の一実施形態に係るプロジェクターを正面側上方から見た斜視図。
【図２】上記実施形態におけるプロジェクターの内部構成を模式的に示す図。
【図３】上記実施形態における閉状態のシャッター装置を光入射側から見た図。
【図４】上記実施形態における閉状態のシャッター装置を光入射側から見た図。
【図５】上記実施形態における閉状態のシャッター装置を光出射側から見た図。
【図６】上記実施形態における開状態のシャッター装置を光入射側から見た図。
【図７】上記実施形態における開状態のシャッター装置を光出射側から見た図。
【図８】上記実施形態における伝達調整部を示す断面図。
【図９】上記実施形態における羽根駆動部を示す断面図。
【図１０】上記実施形態における外側羽根が閉塞位置に達した状態のシャッター装置を光出射側から見た図。
【図１１】上記実施形態における外側羽根が開放位置に達した状態のシャッター装置を光出射側から見た図。
【図１２】上記実施形態における支持部材及びギアを示す斜視図。
【図１３】上記実施形態における支持部材へのギアの取付構造を示す分解斜視図。
【図１４】上記実施形態における柱状部を示す断面図。
【発明を実施するための形態】
【００２４】
以下、本発明の一実施形態を、図面に基づいて説明する。
［プロジェクターの外観構成］
図１は、本実施形態に係るプロジェクター１を正面側から見た斜視図である。
本実施形態に係るプロジェクター１は、内部に配置された光源装置４１（図２参照）から出射された光を変調して画像情報に応じた画像を形成し、当該画像をスクリーン等の被投射面上に拡大投射する。このプロジェクター１は、図１に示すように、外装を構成する外装筐体２を備える。
【００２５】
外装筐体２は、金属又は合成樹脂製の筐体であり、アッパーケース２Ａ、ロアーケース２Ｂ及びフロントケース２Ｃを備える。アッパーケース２Ａは、外装筐体２の上面部２１と、背面部２４、右側面部２５及び左側面部２６における上面部２１側の一部とを構成する。ロアーケース２Ｂは、下面部２２と、背面部２４、右側面部２５及び左側面部２６における下面部２２側の一部とを構成する。フロントケース２Ｃは、正面部２３を構成する。そして、これら各ケース２Ａ〜２Ｃは、互いにねじ等により固定される。
なお、以下の図及び説明において、光学ユニット４（投射光学装置４５）による画像の投射方向をＺ方向とし、Ｚ方向と直交し、かつ、互いに直交する方向をＸ方向及びＹ方向とする。これらのうち、Ｙ方向は、プロジェクター１が水平面上に設置された設置状態において上側を向く方向（下面部２２から上面部２１に向かう方向）であり、Ｘ方向は、当該設置状態においてプロジェクター１を正面側から見て右から左に向かう方向（右側面部２５から左側面部２６に向かう方向）とする。
【００２６】
正面部２３は、Ｘ方向に沿って互いに並列に配置された３つの開口部２３１〜２３３を有する。
中央に位置する開口部２３１は、後述する投射光学装置４５から出射された画像を通過させる画像通過用開口部である。そして、正面部２３の内面側（Ｚ方向とは反対側）には、当該開口部２３１を開閉するシャッター装置５が設けられている。このシャッター装置５の構成については、後に詳述する。
開口部２３１の左右に形成された開口部２３２，２３３は、それぞれ、外装筐体２内を流通した空気を排出する排気口である。これら開口部２３２，２３３には、ルーバー部材２Ｄが取り付けられている。
【００２７】
［プロジェクターの内部構成］
図２は、プロジェクター１の内部構成を模式的に示す図である。
プロジェクター１は、上記外装筐体２の他、図２に示すように、当該外装筐体２内に収納される冷却装置３及び光学ユニット４を備える。また、図示を省略するが、外装筐体２内には、プロジェクター１を制御する制御装置、及び、電力を供給する電源装置が配置されている。
【００２８】
［冷却装置の構成］
冷却装置３は、外装筐体２内で空気を流通させて、プロジェクター１を構成する冷却対象を冷却する。この冷却装置３は、それぞれ開口部２３２，２３３に対向配置される一対のファン３１を有する。また、図示を省略するが、冷却装置３は、外装筐体２における背面側の位置に形成された吸気口を介して外部の空気を吸引する吸気ファンを備える。この吸気ファンにより吸引された空気は、外装筐体２内を流通した後に各ファン３１により吸引され、開口部２３２，２３３を介して外装筐体２外に排出される。
【００２９】
［光学ユニットの構成］
光学ユニット４は、上記制御装置による制御の下、画像情報に応じた画像を形成及び投射する。この光学ユニット４は、光源装置４１、照明光学装置４２、色分離光学装置４３、電気光学装置４４及び投射光学装置４５を有する。
光源装置４１は、光源ランプ４１１及びリフレクター４１２を有する。なお、光源ランプ４１１に代えて、ＬＥＤ（Light Emitting Diode）やＬＤ（Laser Diode）等の固体光源を採用してもよい。
照明光学装置４２は、光源装置４１から出射された光の中心軸に対する直交面内の照度を均一化するものであり、レンズアレイ４２１，４２２、偏光変換素子４２３及び重畳レンズ４２４を有する。
【００３０】
色分離光学装置４３は、入射された光から、赤、緑及び青の各色光を分離するものであり、ダイクロイックミラー４３１，４３２及び反射ミラー４３３〜４３６を有する。
電気光学装置４４は、入射される光を変調するものである。この電気光学装置４４は、３つの入射側偏光板４４２、光変調装置としての３つの液晶パネル４４１（赤、緑及び青の各色光用の液晶パネルを４４１Ｒ，４４１Ｇ，４４１Ｂとする）、３つの射出側偏光板４４３、及び、色合成装置としてのクロスダイクロイックプリズム４４４を有する。
投射光学装置４５は、クロスダイクロイックプリズム４４４で合成された色光（すなわち、変調された各色光により形成される画像）を上記被投射面に投射する。
なお、色分離光学装置４３により分離される赤色光は、緑色光及び青色光に比べて光路が長いため、当該赤色光の光路上に、入射側レンズ及びリレーレンズ等を有するリレー光学装置を配置してもよい。
【００３１】
［シャッター装置の構成］
図３及び図４は、閉状態のシャッター装置５を光入射側から見た図であり、図５は、閉状態のシャッター装置５を光出射側から見た図である。また、図６及び図７は、開状態のシャッター装置５を光入射側及び光出射側から見た図である。なお、図４及び図６では、支持部材５２及びカバー部材５５の図示を省略している。
シャッター装置５は、正面部２３に対して外装筐体２の内側に取り付けられ、上記開口部２３１を開閉する。このシャッター装置５は、図３〜図７に示すように、シャーシ５１、支持部材５２（図３）、駆動手段５３（図３、図４及び図６）、伝達手段５４（図４及び図６）、２つのカバー部材５５，５６（図３）、及び、２組の遮蔽羽根５７，５８（図３〜図５及び図７）を備える。これらのうち、駆動手段５３及び伝達手段５４は、本発明の移動手段を構成する。
【００３２】
［シャーシの構成］
シャーシ５１は、正面部２３の内面に取り付けられる板状部材であり、シャッター装置５を構成する各部品が取り付けられるベースとなる部材である。このシャーシ５１は、図３、図４及び図６に示すように、開口部２３１に応じた位置であるシャーシ５１の略中央の位置に形成された円形状の開口部５１１と、当該開口部５１１の端縁から光入射側に突出する円筒部５１２とを有する。この円筒部５１２の外縁に沿って、伝達手段５４を構成するリングギア５４４が、シャーシ５１における光入射側の面５１Ａに回転可能に取り付けられる。また、図３に示すように、シャーシ５１には、駆動手段５３を支持する支持部材５２及びカバー部材５５，５６が取り付けられる。これら支持部材５２及びカバー部材５５，５６の構成は、後に詳述する。
【００３３】
［駆動手段の構成］
駆動手段５３は、２組の遮蔽羽根５７，５８をそれぞれ移動（回動）させて、開口部５１１（ひいては開口部２３１）を開閉する駆動力を発生させる。この駆動手段５３は、図３に示すように、面５１Ａに取り付けられる支持部材５２の光入射側にて支持される。
このような駆動手段５３は、図４に示すように、回転軸５３２を有するモーター５３１により構成され、当該回転軸５３２の端部には、ギア５３３が設けられている。このギア５３３は、支持部材５２に形成された孔部５２１（図１２及び図１３参照）を挿通して、当該支持部材５２の光出射側、すなわち、シャーシ５１の光入射側に露出する。
このようなモーター５３１の駆動は、上記制御装置により制御され、当該モーター５３１が駆動すると、ギア５３３が回転する構成とされている。
【００３４】
［伝達手段の構成］
伝達手段５４は、ギア５３３の駆動力（回転力）を伝達して、遮蔽羽根５７，５８を移動させる。この伝達手段５４は、ギア５４１〜５４３（図４及び図６）、リングギア５４４（図３、図４及び図６）、伝達調整部５４５，５４７（図４及び図６）及び羽根駆動部５４６，５４８（図４及び図６）を備える。
ギア５４１〜５４３は、支持部材５２に回転可能に支持され、当該支持部材５２がシャーシ５１に固定されることで、面５１Ａに対向するように配置される。
【００３５】
これらギア５４１〜５４３は、図４に示すように、それぞれ二段ギアで構成され、それぞれ小径ギア部及び大径ギア部を有する。そして、各ギア５４１〜５４３は、小径ギア部がシャーシ５１側に位置し、大径ギア部が支持部材５２側に位置するように配置される。
具体的に、ギア５４１の大径ギア部５４１１はギア５３３と噛合し、当該ギア５４１の小径ギア部５４１２は、ギア５４２の大径ギア部５４２１と噛合している。また、ギア５４２の小径ギア部５４２２は、ギア５４３の大径ギア部５４３１と噛合し、ギア５４３の小径ギア部５４３２は、リングギア５４４と噛合している。これらギア５４１〜５４３により、ギア５３３の回転は、減速されてリングギア５４４に伝達される。
なお、支持部材５２には、ギア５４１の回転に伴う異音の発生を抑制する支持構造（後述するギア支持部５２２）が設けられている。この支持構造については、後に詳述する。
【００３６】
リングギア５４４は、図３、図４及び図６に示すように、上記開口部５１１の周縁に沿って、当該開口部５１１の中心位置Ｃを中心として回転可能に円筒部５１２の外側に取り付けられている。すなわち、リングギア５４４は、開口部５１１の内径より大きい内径を有し、当該リングギア５４４の外周面には、ギア５４３及び伝達調整部５４５，５４７と噛合する複数の歯が形成されている。このようなリングギア５４４は、ギア５４３の回転に伴って回転し、当該ギア５４３から伝達される駆動力を伝達調整部５４５，５４７に伝達する。
【００３７】
伝達調整部５４５，５４７は、開口部５１１の中心位置Ｃを中心として互いに対称位置に配置される。これら伝達調整部５４５，５４７は、遮蔽羽根５７，５８が回動可能な場合には、リングギア５４４から伝達される駆動力を羽根駆動部５４６，５４８に伝達し、遮蔽羽根５７，５８が回動可能でない場合には、当該駆動力を羽根駆動部５４６，５４８に伝達しない構成となっている。このような伝達調整部５４５，５４７の構成は、後に詳述する。
【００３８】
羽根駆動部５４６，５４８は、伝達調整部５４５，５４７と同様に、中心位置Ｃを中心として互いに対称位置に配置されている。これらのうち、羽根駆動部５４６は、伝達調整部５４５から伝達される駆動力によって遮蔽羽根５７を回動させる。また、羽根駆動部５４８は、伝達調整部５４７から伝達される駆動力によって遮蔽羽根５８を回動させる。このような羽根駆動部５４６，５４８の構成は、後に詳述する。
【００３９】
［カバー部材の構成］
カバー部材５５，５６は、それぞれ金属製の板状部材であり、図３に示すように、シャーシ５１の面５１Ａに突設されたピン（図示省略）にそれぞれねじ固定される。
カバー部材５５は、面５１Ａに対して伝達調整部５４５及び羽根駆動部５４６を覆うように設けられ、これらを保護する。このカバー部材５５は、上記ピン状部５１３及びピン５１５が挿通される２つの孔部５５１，５５２を有する。
同様に、カバー部材５６は、面５１Ａに対して伝達調整部５４７及び羽根駆動部５４８を覆うように設けられ、これらを保護する。このカバー部材５６は、上記ピン状部５１４及びピン５１６が挿通される２つの孔部５６１，５６２を有する。
【００４０】
［遮蔽羽根の構成］
２組の遮蔽羽根５７，５８は、図５及び図７に示すように、シャーシ５１における面５１Ａとは反対側の面５１Ｂ（光出射側の面５１Ｂ）にそれぞれ配置される。これら遮蔽羽根５７，５８は、開口部５１１の中心位置Ｃを中心とする対称位置に、上記ピン５１５，５１６により、当該ピン５１５，５１６を中心として回動可能に支持される。このような遮蔽羽根５７，５８は、羽根駆動部５４６，５４８の回動に伴って互いに離間する方向に回動して開口部５１１を開放し、また、互いに近接する方向に回動して開口部５１１を閉塞する。これにより、開口部５１１に応じた開口部２３１が開閉される。
【００４１】
遮蔽羽根５７は、２つの羽根部材を備えて構成され、開口部５１１内の領域において中心位置Ｃに対するＸ方向とは反対側の領域を主に開閉する。このような遮蔽羽根５７は、開口部５１１を閉塞した際に、当該開口部５１１の中心位置Ｃ側に位置する羽根部材である内側羽根５７１と、当該内側羽根５７１より外側に位置する羽根部材である外側羽根５７２と、を有する。
【００４２】
内側羽根５７１は、本発明の第１羽根又は第３羽根に相当し、外側羽根５７２は、本発明の第２羽根又は第４羽根に相当する。これら内側羽根５７１及び外側羽根５７２は、上記ピン５１５が挿通した状態で、羽根駆動部５４６の回動軸を中心として（すなわち、ピン５１５を回動中心として）面５１Ｂに沿って回動自在に取り付けられる。この際、内側羽根５７１は、外側羽根５７２に対して面５１Ｂ側に配置される。
【００４３】
これら内側羽根５７１及び外側羽根５７２は、互いに近接する方向に押圧付勢されている。具体的には後述するが、本実施形態では、内側羽根５７１及び外側羽根５７２は、内側羽根５７１が外側羽根５７２に近接する方向に付勢された状態で互いに当接されている。そして、内側羽根５７１には、羽根駆動部５４６を構成し、かつ、各羽根５７１，５７２と回動軸が一致する駆動ギア５４６１が押圧付勢されている。このため、伝達調整部５４５と噛合する駆動ギア５４６１の回動とともに内側羽根５７１が同方向に回動すると、外側羽根５７２は、内側羽根５７１との摩擦抵抗によって当該内側羽根５７１とともに同方向に回動する。
【００４４】
このような内側羽根５７１は、円弧状に形成された合成樹脂製の薄板状部材である。
この内側羽根５７１の一端側には、上記ピン５１５が挿入される孔部５７１１（図９参照）が形成されている。また、当該一端側の部位で、内側羽根５７１が開口部５１１を閉塞した際に開口部５１１端縁に応じた位置には、凹部５７１２が形成されている。そして、当該凹部５７１２近傍には、光出射側（Ｚ方向側）に突出する突起５７１３が設けられている。
一方、内側羽根５７１の他端側で、かつ、遮蔽羽根５８側の端部には、後述する移動規制部５１Ｂ２と当接する第１当接部５７１４が配置されている。また、当該他端側で、かつ、遮蔽羽根５８側とは反対側の端部には、後述する移動規制部５１Ｂ４と当接する第２当接部５７１５が配置されている。更に、当該第２当接部５７１５近傍には、光出射側に突出する突起５７１６が設けられている。
【００４５】
外側羽根５７２も、内側羽根５７１と同様に円弧状に形成された合成樹脂製の薄板状部材である。この外側羽根５７２の一端側には、上記ピン５１５が挿入される孔部５７２１（図９参照）が形成されている。また、当該一端側には、内側羽根５７１側とは反対側に凹んだ凹部５７２２が形成されている。
一方、外側羽根５７２の他端側で、かつ、遮蔽羽根５８側の端部には、後述する移動規制部５１Ｂ１と当接する第１当接部５７２３が配置されている。また、当該他端側で、かつ、遮蔽羽根５８側とは反対側の端部には、後述する移動規制部５１Ｂ３と当接する第２当接部５７２４が配置されている。
【００４６】
遮蔽羽根５８は、開口部５１１内の領域において中心位置Ｃに対するＸ方向側の領域を主に開閉する。この遮蔽羽根５８は、内側羽根５７１と略同形状を有する内側羽根５８１と、外側羽根５７２と略同形状を有する外側羽根５８２とを備える。
内側羽根５８１は、本発明の第３羽根又は第１羽根に相当し、外側羽根５８２は、本発明の第４羽根又は第２羽根に相当する。そして、内側羽根５８１は、内側羽根５７１と同様に、孔部（図示省略）、凹部５８１２、突起５８１３，５８１６、第１当接部５８１４及び第２当接部５８１５を有する。また、外側羽根５８２は、外側羽根５７２と同様に、孔部（図示省略）、凹部５８２２、第１当接部５８２３及び第２当接部５８２４を有する。
【００４７】
ここで、シャーシ５１の面５１Ｂには、図５及び図７に示すように、遮蔽羽根５７と当接して当該遮蔽羽根５７の移動（回動）を規制する移動規制部５１Ｂ１〜５１Ｂ４と、遮蔽羽根５８と当接して当該遮蔽羽根５８の移動（回動）を規制する移動規制部５１Ｂ５〜５１Ｂ８とが設けられている。これら移動規制部５１Ｂ１〜５１Ｂ８は、本実施形態では、面５１Ｂから突出する突起として構成されている。
【００４８】
具体的に、移動規制部５１Ｂ１，５１Ｂ２は、開口部５１１の端縁近傍で、かつ、中心位置Ｃに対してピン５１５の配置位置とは反対側の位置に設けられている。
移動規制部５１Ｂ１は、本発明の第２羽根用規制部に相当する。この移動規制部５１Ｂ１には、図５に示すように、内側羽根５７１とともに閉塞方向（各羽根５７１，５７２が中心位置Ｃ側に向かう方向）に回動された外側羽根５７２が予め設定された閉塞位置に到達した際に、第１当接部５７２３が当接する。
移動規制部５１Ｂ２には、図５に示すように、当該閉塞方向に回動された内側羽根５７１が予め設定された閉塞位置に到達した際に、第１当接部５７１４が当接する。
これら移動規制部５１Ｂ１，５１Ｂ２により、閉塞位置からの閉塞方向への各羽根５７１，５７２の更なる回動が規制される。なお、各羽根５７１，５７２の閉塞位置は、当該各羽根５７１，５７２によって、開口部５１１内の領域における中心位置Ｃに対するＸ方向とは反対側の領域が完全に閉塞される際の位置である。
【００４９】
移動規制部５１Ｂ３，５１Ｂ４は、面５１Ｂの周縁近傍にそれぞれ設けられている。
移動規制部５１Ｂ３には、図７に示すように、内側羽根５７１とともに開放方向（各羽根５７１，５７２が開口部５１１の外側に向かう方向）に回動された外側羽根５７２が予め設定された開放位置に到達した際に、第２当接部５７２４が当接する。
移動規制部５１Ｂ４は、本発明の第１羽根用規制部に相当する。この移動規制部５１Ｂ４には、図７に示すように、当該開放方向に回動された内側羽根５７１が予め設定された開放位置に到達した際に、第２当接部５７１５が当接する。
これら移動規制部５１Ｂ３，５１Ｂ４により、開放位置からの開放方向への各羽根５７１，５７２の更なる回動が規制される。なお、各羽根５７１，５７２の開放位置は、当該各羽根５７１，５７２の全体が開口部５１１の外側に位置した場合の位置である。
このような移動規制部５１Ｂ１〜５１Ｂ４により、内側羽根５７１及び外側羽根５７２の移動範囲（閉塞位置から開放位置までの範囲）が規定される。
【００５０】
移動規制部５１Ｂ５，５１Ｂ６は、開口部５１１の端縁近傍で、かつ、中心位置Ｃに対してピン５１６の配置位置とは反対側の位置に設けられている。
移動規制部５１Ｂ５は、本発明の第２羽根用規制部に相当する。この移動規制部５１Ｂ５には、図５に示すように、外側羽根５８２が予め設定された閉塞位置に到達した際に、第１当接部５８２３が当接する。
移動規制部５１Ｂ６には、内側羽根５８１が予め設定された閉塞位置に到達した際に、第１当接部５８１４が当接する。
これら移動規制部５１Ｂ５，５１Ｂ６により、閉塞位置からの閉塞方向（各羽根５８１，５８２が中心位置Ｃに向かう方向）への各羽根５８１，５８２の更なる回動が規制される。なお、各羽根５８１，５８２の閉塞位置は、当該各羽根５８１，５８２によって、開口部５１１内の領域における中心位置Ｃに対するＸ方向側の領域が完全に閉塞される際の位置である。
【００５１】
移動規制部５１Ｂ７，５１Ｂ８は、面５１Ｂの周縁近傍で、中心位置Ｃに対して移動規制部５１Ｂ３，５１Ｂ４の形成位置とは反対側にそれぞれ設けられている。
移動規制部５１Ｂ７には、外側羽根５８２が予め設定された開放位置に到達した際に、第２当接部５８２４が当接する。
移動規制部５１Ｂ８は、本発明の第１羽根用規制部に相当する。この移動規制部５１Ｂ８には、内側羽根５８１が予め設定された開放位置に到達した際に、第２当接部５８１５が当接する。
これら移動規制部５１Ｂ７，５１Ｂ８により、開放位置からの開放方向（各羽根５８１，５８２が開口部５１１の外側に向かう方向）への各羽根５８１，５８２の更なる回動が規制される。なお、各羽根５８１，５８２の開放位置は、上記と同様に、当該各羽根５８１，５８２の全体が開口部５１１の外側に位置した場合の位置である。
このような移動規制部５１Ｂ５〜５１Ｂ８により、内側羽根５８１及び外側羽根５８２の移動範囲（閉塞位置から開放位置までの範囲）が規定される。
【００５２】
［伝達調整部の構成］
図８は、伝達調整部５４５を示す断面図である。
伝達調整部５４５は、羽根駆動部５４６とともに、本発明の第１羽根用駆動部又は第３羽根用駆動部を構成する。この伝達調整部５４５は、前述のように、リングギア５４４の回転力を羽根駆動部５４６に伝達する。この伝達調整部５４５は、図８に示すように、それぞれ別体として構成された第１ギア部５４５１及び第２ギア部５４５２と、ワッシャー５４５３，５４５４と、付勢部材５４５５と、係止部材５４５６とを有する。
これらのうち、第１ギア部５４５１、第２ギア部５４５２、ワッシャー５４５３，５４５４及び付勢部材５４５５には、シャーシ５１に設けられたピン状部５１３が挿通され、係止部材５４５６は、当該ピン状部５１３に取り付けられる。すなわち、シャーシ５１の面５１Ａ側から第２ギア部５４５２、第１ギア部５４５１、ワッシャー５４５３、付勢部材５４５５、ワッシャー５４５４及び係止部材５４５６の順に、ピン状部５１３にそれぞれ取り付けられる。
【００５３】
第１ギア部５４５１及び第２ギア部５４５２は、それぞれ円筒状のギアであり、上記ピン状部５１３に回転可能に支持される。第１ギア部５４５１は、リングギア５４４と噛合する。第２ギア部５４５２は、第１ギア部５４５１より小径のギアであり、羽根駆動部５４６の後述する駆動ギア５４６１と噛合する。
付勢部材５４５５は、本発明のギア用付勢部材に相当する。この付勢部材５４５５は、一対の５４５３側に付勢力を作用させる。このワッシャー５４５４により押圧された第１ギア部５４５１は、第２ギア部５４５２に近接する方向に付勢される。このため、リングギア５４４と噛合する第１ギア部５４５１が回転されると、当該第１ギア部５４５１と接触する第２ギア部５４５２が、摩擦抵抗によって当該第１ギア部５４５１と同方向に回転する。
なお、詳しい図示を省略するが、伝達調整部５４７も、伝達調整部５４５と同様の構成を有する。
【００５４】
ここで、遮蔽羽根５７が上記閉塞位置に位置する場合には、当該遮蔽羽根５７は、上記移動規制部５１Ｂ１，５１Ｂ２により閉塞方向への回動が規制されている。同様に、遮蔽羽根５７が上記開放位置に位置する場合には、当該遮蔽羽根５７は、上記移動規制部５１Ｂ３，５１Ｂ４により開放方向への回動が規制されている。
これらの場合で、回動が規制された方向に遮蔽羽根５７を回動させる駆動力が羽根駆動部５４６に伝達されると、遮蔽羽根５７に負荷がかかる他、モーター５３１にも負荷がかかる。この問題は、同様の構成を有する遮蔽羽根５８及び羽根駆動部５４８においても同様に生じる。
【００５５】
これに対し、遮蔽羽根５７の回動が規制されている状態では、羽根駆動部５４６に噛合する第２ギア部５４５２が停止したままで、当該第２ギア部５４５２とは別体である第１ギア部５４５１のみが、リングギア５４４から伝達される駆動力によって回転する。すなわち、第１ギア部５４５１が空転する。
このため、第２ギア部５４５２を介して羽根駆動部５４６に駆動力が伝達されないので、遮蔽羽根５７やモーター５３１に負荷がかかることを抑制できる。
なお、付勢部材５４５５による付勢力は、遮蔽羽根５７の回動が規制された状態では、第１ギア部５４５１を空転させ、遮蔽羽根５７の回動が規制されていない状態では、第１ギア部５４５１及び第２ギア部５４５２の双方を回転可能とする値に設定されている。
更に、リングギア５４４と噛合する第１ギア部、及び、羽根駆動部５４８と噛合する第２ギア部を有する伝達調整部５４７も、伝達調整部５４５と同様の構成を有するので、同様の作用を奏する。この伝達調整部５４７は、羽根駆動部５４８とともに、本発明の第３羽根用駆動部又は第１羽根用駆動部を構成する。
【００５６】
［羽根駆動部の構成］
図９は、羽根駆動部５４６を示す断面図である。
羽根駆動部５４６は、前述のように、伝達調整部５４５から伝達された駆動力により、遮蔽羽根５７を構成する内側羽根５７１及び外側羽根５７２を回動させる。この羽根駆動部５４６は、図９に示すように、駆動ギア５４６１、２つのワッシャー５４６２，５４６３、付勢部材５４６４及び係止部材５４６５を備え、これらは、シャーシ５１に形成された貫通孔５１７を挿通するピン５１５により当該シャーシ５１に取り付けられる。
【００５７】
駆動ギア５４６１は、図６に示すように、シャーシ５１における光入射側（面５１Ａ側）に配置された扇形のギアである。この駆動ギア５４６１における円弧状部５４６１１には、上記第２ギア部５４５２と噛合する複数の歯が形成されている。また、駆動ギア５４６１において円弧状部５４６１１の円弧の中心に応じた位置には、図９に示すように、シャーシ５１を貫通するピン５１５が挿通する孔部５４６１２が形成されている。
【００５８】
この孔部５４６１２内には、面５１Ｂ側に配置された内側羽根５７１において孔部５７１１の周縁に沿って突出するボス５７１７が挿入される。すなわち、孔部５４６１２内にて、駆動ギア５４６１と内側羽根５７１とは、これらに対するピン５１５の挿通方向（すなわち、Ｚ方向）に沿って互いに当接する。
なお、駆動ギア５４６１における面５１Ａ側の面には、当該面５１Ａに突設されたリブ５１Ａ１が当接される。これにより、駆動ギア５４６１の傾斜が抑制される。
【００５９】
ワッシャー５４６２，５４６３は、駆動ギア５４６１に対して内側羽根５７１とは反対側に位置し、上記ピン５１５が挿通される。
付勢部材５４６４は、本発明の羽根用付勢部材に相当する。この付勢部材５４６４は、ワッシャー５４６２，５４６３に挟まれる位置に配置される。この付勢部材５４６４は、本実施形態では、圧縮コイルばねにより構成されている。
係止部材５４６５は、上記係止部材５４５６と同様にピン５１５に固定され、ワッシャー５４６３を係止する。
【００６０】
このような羽根駆動部５４６では、係止部材５４６５によって係止されたワッシャー５４６３により、当該ワッシャー５４６３側への付勢部材５４６４の伸長が規制されている。このため、付勢部材５４６４は、ワッシャー５４６２側に付勢力を作用させる。このワッシャー５４６２により押圧された駆動ギア５４６１は、内側羽根５７１に近接する方向に付勢される。
【００６１】
ここで、ピン５１５は、当該ピン５１５が挿通する外側羽根５７２の孔部５７２１の内径より外側に延出して、外側羽根５７２に対する内側羽根５７１側とは反対側から当該外側羽根５７２を押さえる押さえ部５１５１を有する。このため、当該押さえ部５１５１と付勢部材５４６４との間に配置される外側羽根５７２、内側羽根５７１、駆動ギア５４６１及びワッシャー５４６２は、当該付勢部材５４６４により押さえ部５１５１側に付勢される。これにより、外側羽根５７２、内側羽根５７１及び駆動ギア５４６１が互いに密着する。従って、内側羽根５７１が、駆動ギア５４６１との摩擦抵抗により当該駆動ギア５４６１と同方向に回動し、また、外側羽根５７２が、内側羽根５７１との摩擦抵抗により当該内側羽根５７１と同方向に回動する。
【００６２】
なお、上記伝達調整部５４５における第１ギア部５４５１と第２ギア部５４５２との関係と同様に、外側羽根５７２が閉塞位置又は開放位置に達した状態で、当該外側羽根５７２の回動が規制される方向に駆動ギア５４６１が更に回動される場合には、当該駆動ギア５４６１及び内側羽根５７１のみが回動する。このため、外側羽根５７２が閉塞位置に位置した状態を維持しつつ、内側羽根５７１を回動させて、当該内側羽根５７１を閉塞位置に位置させることができる。また、同様に、外側羽根５７２が開放位置に位置して状態を維持しつつ、内側羽根５７１を回動させて、当該内側羽根５７１を開放位置に位置させることができる。
詳しい図示を省略するが、羽根駆動部５４８も、羽根駆動部５４６と同様に、伝達調整部５４７の第２ギア部と噛合する駆動ギア５４８１（図４及び図６参照）、２つのワッシャー、圧縮ばね及び係止部材を備え、当該羽根駆動部５４６と同様に機能する。
【００６３】
［遮蔽羽根の動作］
開口部５１１が開放されている状態では、図７に示したように、内側羽根５７１，５８１は、第２当接部５７１５，５８１５が移動規制部５１Ｂ４，５１Ｂ８に当接する開放位置に位置し、外側羽根５７２，５８２は、第２当接部５７２４，５８２４が移動規制部５１Ｂ３，５１Ｂ７に当接する開放位置に位置する。
この状態から、駆動手段５３のモーター５３１が駆動して、遮蔽羽根５７，５８を閉塞方向に回動させる方向にギア５３３が回転すると、駆動手段５３による駆動力（ギア５３３の回転力）は、ギア５４１〜５４３及びリングギア５４４を介して、伝達調整部５４５，５４７に伝達される。
【００６４】
図１０は、図７に示した開放位置から遮蔽羽根５７，５８が閉塞方向に回動して、外側羽根５７２，５８２のみ閉塞位置に達した状態のシャッター装置５を光出射側（Ｚ方向側）から見た図である。
この段階では、遮蔽羽根５７，５８の閉塞方向への回動は規制されていないので、伝達調整部５４５，５４７は、伝達された駆動力を羽根駆動部５４６，５４８に伝達させ、内側羽根５７１，５８１を閉塞方向に回動させる。この内側羽根５７１，５８１の回動に伴って、外側羽根５７２，５８２も閉塞方向に回動する。
これにより、図１０に示すように、まず、外側羽根５７２，５８２が移動規制部５１Ｂ１，５１Ｂ５に当接する閉塞位置に到達する。
【００６５】
この状態から更に羽根駆動部５４６，５４８に駆動力が伝達されると、外側羽根５７２，５８２が閉塞位置に位置した状態で、内側羽根５７１，５８１が閉塞方向に更に回動して、図５に示したように、移動規制部５１Ｂ２，５１Ｂ６に当接する閉塞位置に当該内側羽根５７１，５８１も到達する。これにより、開口部５１１が閉塞される。
この状態で、モーター５３１が駆動し続けた場合には、上記のように、第１ギア部５４５１が空転することにより、駆動力が羽根駆動部５４６に伝達されない。伝達調整部５４７においても同様である。このため、遮蔽羽根５７，５８及び駆動手段５３に負荷がかかることが抑制される。
【００６６】
また、遮蔽羽根５７，５８が閉塞位置に位置する場合には、内側羽根５７１の突起５７１６が外側羽根５７２の第２当接部５７２４に当接し、また、内側羽根５８１の突起５８１６が外側羽根５８２の第２当接部５８２４に当接する。これにより、外側羽根５７２，５８２が、意図せずに開放方向に回動することが抑制される。
なお、内側羽根５７１，５８１には、それぞれ凹部５７１２，５８１２が形成されており、遮蔽羽根５７，５８が閉塞位置に位置する場合には、移動規制部５１Ｂ１，５１Ｂ６は、それぞれ凹部５８１２，５７１２内に配置される。このため、開口部５１１の端縁近傍に位置する移動規制部５１Ｂ２，５１Ｂ６により、内側羽根５７１，５８１を互いに近接する側の端部で当接させることができ、開口部５１１を略完全に閉塞できる。
【００６７】
図１１は、図５に示した閉塞位置から遮蔽羽根５７，５８が開放方向に回動して、外側羽根５７２，５８２のみ開放位置に達した状態のシャッター装置５を光出射側（Ｚ方向側）から見た図である。
一方、開口部５１１が閉塞された状態で、遮蔽羽根５７，５８を開放方向に回動させる方向にギア５３３が回転すると、上記と同様に、駆動手段５３の駆動力（ギア５３３の回転力）は、ギア５４１〜５４３及びリングギア５４４を介して、伝達調整部５４５，５４７に伝達される。
この段階では、遮蔽羽根５７，５８の開放方向への回動は規制されていないので、伝達調整部５４５，５４７は、伝達された駆動力を羽根駆動部５４６，５４８に伝達させ、内側羽根５７１，５８１を開放方向に回動させる。この内側羽根５７１，５８１の回動に伴って、外側羽根５７２，５８２も閉塞方向に回動する。
これにより、図１１に示すように、まず、外側羽根５７２，５８２が移動規制部５１Ｂ３，５１Ｂ７に当接する閉塞位置に到達する。
【００６８】
この状態から更に羽根駆動部５４６，５４８に駆動力が伝達されると、外側羽根５７２，５８２が開放位置に位置した状態で、内側羽根５７１，５８１が開放方向に更に回動して、図７に示したように、移動規制部５１Ｂ４，５１Ｂ８に当接する開放位置に内側羽根５７１，５８１も到達する。これにより、開口部５１１が開放される。
この状態で、モーター５３１が駆動し続けた場合では、上記のように、伝達調整部５４５における第１ギア部５４５１が空転することにより、駆動力が羽根駆動部５４６に伝達されない。伝達調整部５４７においても同様である。このため、遮蔽羽根５７，５８及び駆動手段５３に負荷がかかることが抑制される。
【００６９】
また、遮蔽羽根５７，５８が開放位置に位置する場合には、内側羽根５７１の突起５７１３が外側羽根５７２の凹部５７２２に当接し、また、内側羽根５８１の突起５８１３が外側羽根５８２の凹部５８２２に当接する。これにより、外側羽根５７２，５８２が、意図せずに閉塞方向に回動することが抑制される。
なお、上記制御装置は、遮蔽羽根５７，５８の位置を検出する検出部（図示省略）による検出結果に基づいて駆動手段５３を制御しており、当該遮蔽羽根５７，５８のそれぞれが開放位置に到達した際に、駆動手段５３を停止させるように構成している。一方、開口部５１１を閉塞する場合には、制御装置は、遮蔽羽根５７，５８が開放位置から閉塞位置に到達するのに十分な時間駆動するように、モーター５３１を制御している。しかしながら、これに限らず、開口部５１１を閉塞する際にも、検出部が遮蔽羽根５７，５８の位置を検出して、当該検出部による検出結果に基づいて、制御装置が駆動手段５３を制御してもよい。他方、検出部を設けずに、開放位置及び閉塞位置に到達するのに十分な時間駆動するように、制御装置が駆動手段５３を駆動させるように構成してもよい。
このようにシャッター装置５が動作して開口部５１１が開閉されることで、当該開口部５１１に対応する開口部２３１が開閉される。
【００７０】
［支持部材の構成］
図１２は、支持部材５２及びギア５４１〜５４３を示す斜視図である。また、図１３は、ギア支持部５２２を示す分解斜視図である。
支持部材５２は、図１２及び図１３に示すように、板状に構成された金属製部材であり、駆動手段５３と伝達手段５４を構成するギア５４１〜５４３とを支持し、シャーシ５１の面５１Ａに取り付けられる。この支持部材５２には、当該支持部材５２における光入射側の面からねじＳにより固定された駆動手段５３の回転軸５３２及びギア５３３が挿通する孔部５２１が形成されている。
【００７１】
支持部材５２は、それぞれギア５４１〜５４３を回転可能に支持するギア支持部５２２，５２８，５２９を有する。
これらのうち、ギア支持部５２８は、ピン５２８１及びリング５２８２を有する。ピン５２８１は、支持部材５２におけるシャーシ５１側の面５２Ａに突設されている。リング５２８２は、ギア５４２を挿通したピン５２８１の端部に取り付けられ、当該ピン５２８１からのギア５４２の抜けを防止する。
ギア支持部５２９も、ギア支持部５２８と同様に、ピン５２９１及びリング５２９２を有し、リング５２９２は、ギア５４３を挿通したピン５２９１の端部に取り付けられ、当該ピン５２９１からのギア５４２の抜けを防止する。
【００７２】
ギア支持部５２２は、伝達ギアとしてのギア５４１を支持する本発明のギア支持手段に相当する。このギア支持部５２２は、図１３に示すように、ギア５４１を挿通するピン５２３と、それぞれピン５２３に対して順に取り付けられる環状体５２４、付勢部材５２５、ワッシャー５２６及び係止部材５２７と、を有する。
【００７３】
図１４は、ピン５２３の中心軸に直交する方向の柱状部５２３１の断面図である。
ピン５２３は、支持部材５２に設けられて面５２Ａから突出している。このピン５２３は、柱状部５２３１、小径部５２３２及び大径部５２３３を有する。
柱状部５２３１において、ギア５４１が挿通される部位におけるピン５２３の中心軸に直交する面（断面）の形状は円形状である。
一方、柱状部５２３１において、環状体５２４及び付勢部材５２５が挿通される部位における上記中心軸に直交する面の形状は、図１４に示すように、円（真円）における直径方向の両端を切り欠いた形状である。詳述すると、柱状部５２３１における当該断面の形状は、円の一部を構成し、かつ、互いに反対側に位置する一対の円弧状部５２３１１と、当該一対の円弧状部分を接続する一対の直線部５２３１２と、を有する。
このような柱状部５２３１は、ギア５４１に形成された円形状の孔部５４１３（図１３）を挿通し、上記一対の円弧状部５２３１１に沿って当該ギア５４１を回転可能とする。一方、一対の直線部５２３１２には、環状体５２４の後述する回転規制部５２４２が当接することで、柱状部５２３１に対する環状体５２４の回動が規制される。すなわち、直線部５２３１２は、本発明の回転規制部として機能する。
【００７４】
小径部５２３２は、図１３に示すように、柱状部５２３１に対して面５２Ａ側とは反対側に位置する。この小径部５２３２は、柱状部５２３１より外径が小さく、当該小径部５２３２には、係止部材５２７が取り付けられる。
大径部５２３３は、小径部５２３２に対して面５２Ａ側とは反対側に位置する。この大径部５２３３は、小径部５２３２より外径が大きく形成されている。
【００７５】
環状体５２４は、ワッシャー様に形成され、中央に形成された挿通孔５２４１を柱状部５２３１が挿通する。このため、環状体５２４は、ギア５４１に対して面５２Ａとは反対側（ピン５２３の先端側）に位置する。すなわち、環状体５２４は、ギア５４１と付勢部材５２５との間に介装される介装部材である。
この環状体５２４が有する挿通孔５２４１は、図１４に示すように、柱状部５２３１の周縁形状に応じた形状に形成されている。すなわち、環状体５２４は、柱状部５２３１における上記直線部５２３１２に沿う部位に形成されて、柱状部５２３１に対する環状体５２４の回転を規制する回転規制部５２４２を有する。このため、柱状部５２３１を中心とする環状体５２４の回転は規制されている。
【００７６】
付勢部材５２５は、本発明の環状体付勢部材に相当する。この付勢部材５２５は、柱状部５２３１が挿通されて、環状体５２４に対して面５２Ａ側とは反対側に位置する。この付勢部材５２５は、本実施形態では圧縮ばねにより構成され、環状体５２４を面５２Ａ側に付勢する。
ワッシャー５２６は、小径部５２３２に応じた位置に取り付けられる。すなわち、ワッシャー５２６は、付勢部材５２５に対して面５２Ａ側とは反対側に位置し、当該付勢部材５２５における環状体５２４とは反対側の端部に当接される。このワッシャー５２６には、大径部５２３３及び小径部５２３２が挿通する円形状の挿通孔５２６１が形成されている。
係止部材５２７は、小径部５２３２に取り付けられ、ピン５２３からの環状体５２４、付勢部材５２５及びワッシャー５２６の抜けを防止し、ひいては、ギア５４１の抜けを防止する。本実施形態では、係止部材５２７は、Ｅリングにより構成されている。
【００７７】
ここで、ギア５４１〜５４３は、ギア５３３の回転を減速させてリングギア５４４に伝達する構成であるので、当該ギア５４１〜５４３のうち、単位時間当たりの回転数が最大のギアは、ギア５３３に噛合するギア５４１である。このギア５４１は、ギア５３３と適切に噛合していないと、当該ギア５３３の回転を他のギアに伝達することができない。このため、ギア５４１を回転可能に支持するとともに、当該ギア５４１とギア５３３との噛合状態を維持する構成が求められる。
【００７８】
しかしながら、ギア５４１を面５１Ａ側に付勢して当該ギア５４１とギア５３３との噛合状態を維持する構成として、上記環状体５２４に代えて、柱状部５２３１が挿通される円形状の孔部を有するワッシャー（以下、代替ワッシャーという）を備えた上記ギア支持部５２２を採用すると、以下の問題が生じる。
【００７９】
代替ワッシャーは、柱状部５２３１に対して回転可能であるので、ギア５４１とともに回転する可能性がある。そして、代替ワッシャーが回転する場合には、当該代替ワッシャーを付勢する付勢部材５２５も回転する可能性がある。この付勢部材５２５がコイルばねで構成されている場合、当該コイルばねは、代替ワッシャーの面と均一に接触するのではなく、コイルばねの端部で代替ワッシャーの面の一部と接触する。このことから、代替ワッシャーと対向するギア５４１の面に対する付勢力も均一ではない。このため、コイルばねは、ギア５４１の回転とともに常時回転するのではなく、当該コイルばねが回転する条件が満たされた場合に回転することとなる。
【００８０】
このような構成では、上記コイルばねが回転している状態と回転していない状態とで、ギア５４１と噛合するギア５３３を回転させるモーター５３１の負荷が変化してしまい、モーター５３１の通常の駆動音ではない異音（唸り音）が生じる場合がある。
これに対し、上記環状体５２４を採用し、ギア５４１の回転に伴う付勢部材５２５の回転が生じないように構成することで、駆動時のモーター５３１の負荷を一定にすることができ、上記異音の発生を抑制できる。
【００８１】
［実施形態の効果］
以上説明した本実施形態に係るプロジェクター１によれば、以下の効果がある。
内側羽根５７１及び外側羽根５７２は、互いに重なって配置され、内側羽根５７１の回動に伴って外側羽根５７２が当該内側羽根５７１と同方向に回動する。これによれば、開口部５１１（ひいては、開口部２３１）を開放する際に、当該開口部５１１の外側にて互いに重なるように内側羽根５７１及び外側羽根５７２を配置できる。従って、内側羽根５７１及び外側羽根５７２の退避スペースを小さくすることができるので、プロジェクター１を小型化できる。内側羽根５８１及び外側羽根５８２についても同様である。
【００８２】
また、外側羽根５７２は、当該外側羽根５７２と重ね合わされる内側羽根５７１に対する摩擦抵抗によって、当該内側羽根５７１と同方向に回動する。これによれば、互いに係合する構造を各羽根５７１，５７２に設ける必要がない他、各羽根５７１，５７２の製造精度及び組み合わせ精度が比較的低くても、内側羽根５７１の回動に伴って外側羽根５７２を回動させることができる。従って、各羽根５７１，５７２の構成及び組み合わせを簡略化できる他、当該各羽根５７１，５７２を簡易に製造できる。内側羽根５８１及び外側羽根５８２についても同様である。
【００８３】
外側羽根５７２が閉塞位置に移動した場合には、当該外側羽根５７２と移動規制部５１Ｂ１とが当接する。これにより、閉塞方向への外側羽根５７２の更なる回動が規制される。この状態では、内側羽根５７１は閉塞方向へ更に移動させることができるので、内側羽根５７１と外側羽根５７２とを離間させることができる。従って、各羽根５７１，５７２により閉塞される開口部５１１（ひいては、開口部２３１）内の領域を拡大できる。内側羽根５８１及び外側羽根５８２についても同様である。
なお、内側羽根５７１と外側羽根５７２とが離間した状態から、内側羽根５７１が開放方向に回動する場合には、当該内側羽根５７１と外側羽根５７２とが重なるので、内側羽根５７１とともに外側羽根５７２を確実に開放方向に移動させることができる。内側羽根５８１及び外側羽根５８２についても同様である。
【００８４】
付勢部材５４６４により、内側羽根５７１は外側羽根５７２に近接する方向に付勢されるので、これら各羽根５７１，５７２を確実に互いに接触させることができる。従って、内側羽根５７１との摩擦抵抗により、当該内側羽根５７１の回動に伴って外側羽根５７２を同方向に確実に回動させることができる。内側羽根５８１及び外側羽根５８２についても同様である。
【００８５】
伝達調整部５４５は、互いに別体として構成され、ピン状部５１３により同軸上に配置された第１ギア部５４５１及び第２ギア部５４５２と、当該第１ギア部５４５１を第２ギア部５４５２側に付勢する付勢部材５４５５とを有する。
ここで、内側羽根５７１の回動が規制されておらず、第２ギア部５４５２が回転可能な状態で、リングギア５４４からの駆動力により第１ギア部５４５１が回転される場合では、第１ギア部５４５１との摩擦抵抗により、第２ギア部５４５２を同方向に回転させることができる。この際、付勢部材５４５５の付勢力により、第１ギア部５４５１と第２ギア部５４５２とを確実に接触させることができるので、互いの摩擦抵抗を確実に生じさせることができる。従って、第１ギア部５４５１とともに第２ギア部５４５２を確実に回転させることができ、第２ギア部５４５２から羽根駆動部５４６に駆動力を伝達させることができるので、内側羽根５７１を確実に回動させることができる。
【００８６】
一方、内側羽根５７１の回動が規制され、第２ギア部５４５２が回転できない状態で、リングギア５４４からの駆動力により第１ギア部５４５１が回転される場合では、第２ギア部５４５２に対して第１ギア部５４５１が空転する。これにより、第２ギア部５４５２を介して上記駆動力が内側羽根５７１に伝達されることを抑制でき、当該内側羽根５７１及び駆動手段５３に負荷がかかることを抑制できる。
伝達調整部５４５と同様の構成を有する伝達調整部５４７においても同様である。
【００８７】
シャッター装置５は、開口部５１１の径方向における一方の領域を開閉する内側羽根５７１及び外側羽根５７２と、他方の領域を開閉する内側羽根５８１及び外側羽根５８２とを備える。そして、開口部５１１を開閉する際には、これら内側羽根５７１及び外側羽根５７２と、内側羽根５８１及び外側羽根５８２とは、互いに近接及び離間する方向に回動する。これによれば、各羽根５７１，５７２，５８１，５８２の移動量を小さくすることができる。従って、開口部５１１（ひいては、開口部２３１）の開閉に伴う時間を短縮でき、当該開口部５１１を迅速に開閉できる。
【００８８】
伝達手段５４は、開口部５１１の端縁に沿って配置され、かつ、中心位置Ｃを中心として回動するリングギア５４４を備える。そして、リングギア５４４に噛合する第１ギア部５４５１を有する伝達調整部５４５と羽根駆動部５４６とにより、内側羽根５７１及び外側羽根５７２は回動される。また、それぞれ伝達調整部５４５及び羽根駆動部５４６と同様の構成を有する伝達調整部５４７及び羽根駆動部５４８により、内側羽根５８１及び外側羽根５８２は回動される。これによれば、互いに同期をとって内側羽根５７１，５８１のそれぞれを回動させることができる。従って、各羽根５７１，５７２，５８１，５８２による開口部５１１（ひいては、開口部２３１）の開閉を迅速かつ円滑に実施できる。
【００８９】
ギア５４１が挿通されるピン５２３の柱状部５２３１は、ギア５４１を回転自在とする円弧状部５２３１１を有し、当該ギア５４１に押圧される環状体５２４は、柱状部５２３１の直線部５２３１２に応じた位置に配置されて当該環状体５２４の回転を規制する回転規制部５２４２を有する。これによれば、環状体５２４とともに付勢部材５２５が回転することを規制できる。従って、駆動手段５３にて異音が生じることを抑制できる。
【００９０】
移動規制部５１Ｂ４，５１Ｂ８により、開放方向に移動した内側羽根５７１，５８１を、開放位置（開口部５１１が開放された際の内側羽根５７１，５８１の位置）に配置させることができる。このように、内側羽根５７１，５８１が閉塞位置から開放位置に移動した場合には、外側羽根５７２，５８２は当該内側羽根５７１，５８１とともに移動した後であるので、外側羽根５７２，５８２も開口部５１１の外側の位置である開放位置に位置させることができる。従って、開口部５１１を確実に開放できる。
【００９１】
［変形例］
本発明は、上記実施形態に限定されるものではなく、本発明の目的を達成できる範囲での変形、改良等は本発明に含まれるものである。
上記実施形態では、シャッター装置５は、それぞれ内側羽根５７１，５８１及び外側羽根５７２，５８２が、シャーシ５１に対する直交方向であるＺ方向に沿う回動軸を中心として一方及び他方に回動することで、開口部５１１、ひいては開口部２３１を開閉する構成とした。しかしながら、本発明はこれに限らない。すなわち、各羽根部材を直線的に進退させることで、開口部２３１を開閉する構成としてもよい。例えば、各羽根部材がＺ方向に直交する方向に沿って進退することで、開口部２３１を開閉する構成としてもよい。この際、開口部２３１の一端側に位置する複数の羽根部材がそれぞれ同方向に進退することで開口部２３１の全域を開閉する構成としてもよい。更に、開口部２３１の一端側及び他端側のそれぞれに複数の羽根部材を配置する構成としてもよい。この場合、一端側に位置する複数の羽根部材が他端側にそれぞれ進退し、他端側に位置する複数の羽根部材が一端側にそれぞれ進退することで、開口部２３１の略半分ずつを開閉する構成としてもよい。
【００９２】
上記実施形態では、シャッター装置５は、内側羽根５７１及び外側羽根５７２を有する遮蔽羽根５７と、内側羽根５８１及び外側羽根５８２を有する遮蔽羽根５８とを備える構成としたが、本発明はこれに限らない。すなわち、遮蔽羽根５７，５８のうち一方のみを有する構成としてもよい。この場合、内側羽根及び外側羽根が閉塞位置に位置する場合に、開口部５１１が完全に閉塞されるように構成してもよく、一部が閉塞されるように構成してもよい。また、遮蔽羽根が有する羽根部材の数は、２つに限らず、変更可能である。
なお、遮蔽羽根５７，５８が閉塞位置に達した際に、内側羽根５７１の一部と内側羽根５８１の一部とが互いに重なる構成としてもよい。
【００９３】
上記実施形態では、付勢部材５４６４により、内側羽根５７１を外側羽根５７２に近接する方向に付勢したが、本発明はこれに限らない。すなわち、外側羽根５７２を内側羽根５７１に近接する方向に付勢する構成としてもよい。羽根駆動部５４６と同様の構成を有する羽根駆動部５４８においても同様である。
【００９４】
上記実施形態では、リングギア５４４からの駆動力を羽根駆動部５４６に伝達する伝達調整部５４５が、それぞれ同軸を中心として回転可能に支持される第１ギア部５４５１及び第２ギア部５４５２と、当該第１ギア部５４５１を第２ギア部５４５２に近接する方向に付勢する付勢部材５４５５とを有するとした。また、伝達調整部５４７は、当該伝達調整部５４５と同様の構成を有するとした。しかしながら、本発明はこれに限らない。すなわち、伝達調整部５４５，５４７の構成を、他の部位に設けてもよい。例えば、駆動手段５３からリングギア５４４に駆動力を伝達する構成として、当該伝達調整部の構成を設けてもよい。
また、付勢部材５４５５は、第１ギア部５４５１を第２ギア部５４５２に向けて付勢する構成としたが、本発明はこれに限らず、第２ギア部５４５２を第１ギア部５４５１に向けて付勢する構成としてもよい。伝達調整部５４７においても同様である。
【００９５】
上記実施形態では、伝達手段５４は、開口部５１１の端縁に沿って配置され、かつ、中心位置Ｃを中心として回動可能に支持されるリングギア５４４を有し、当該リングギア５４４に、羽根駆動部５４６，５４８に駆動力を伝達する伝達調整部５４５，５４７が噛合する構成とした。しかしながら、本発明はこれに限らない。すなわち、駆動力を羽根駆動部５４６，５４８に伝達して、遮蔽羽根５７，５８を移動させることが可能であれば、このようなリングギア５４４はなくてもよい。また、リングギア５４４に代えて、ベルト等によって、駆動力を伝達する構成としてもよく、完全な円形状のギアではなく円弧状のギアを採用してもよい。更に、遮蔽羽根５７を移動させる駆動手段及び伝達手段と、遮蔽羽根５８を移動させる駆動手段及び伝達手段とを、それぞれ別に設けてもよい。
また、伝達手段５４は、ギア５４１〜５４３により、駆動手段５３のギア５３３の回転を減速させて伝達するとしたが、本発明はこれに限らない。すなわち、ギア５３３の回転を制御できれば、当該ギア５４１〜５４３はなくてもよい。
【００９６】
上記実施形態では、支持部材５２が有するギア支持部５２２は、駆動手段５３のギア５３３が噛合するギア５４１を支持するものとして採用したが、本発明はこれに限らない。すなわち、当該ギア支持部５２２の構成を、ギア５４２，５４３等の他のギアを支持する構成として採用してもよい。
【００９７】
上記実施形態では、ピン５２３の柱状部５２３１が、一対の円弧状部５２３１１及び一対の直線部５２３１２を有し、環状体５２４が、挿通孔５２４１及び回転規制部５２４２を有することで、ピン５２３に対する環状体５２４の回転を規制した。しかしながら、本発明はこれに限らない。すなわち、ピン５２３に対する環状体５２４の回転を規制できれば、他の構成でもよい。例えば、上記直線部５２３１２及び回転規制部５２４２は、一対である必要はなく、柱状部５２３１が１つの直線部５２３１２を有し、環状体５２４が、当該１つの直線部５２３１２に対応する１つの回転規制部５２４２を有する構成であってもよい。また、ピン５２３の周面に、当該ピン５２３の中心軸に沿う溝を形成し、環状体５２４が、ピン５２３が挿通される孔部と、上記溝に挿入される突部とを有する構成としてもよい。
更に、柱状部５２３１においてギア５４１が配置される部分の断面形状は円形状であり、環状体が配置される部分の断面形状は上記直線部５２３１２を有する形状としたが、本発明はこれに限らない。すなわち、ピン５２３の中心軸に沿う柱状部５２３１の全体において、上記直線部５２３１２を有する断面形状としてもよい。
また、環状体５２４の外形は円形状でなくてもよく、矩形状等、他の形状であってもよい。
【００９８】
上記実施形態では、移動規制部５１Ｂ４，５１Ｂ８が、開放位置に回動された内側羽根５７１，５８１に当接して、当該内側羽根５７１，５８１の開放方向への更なる回動を規制するとした。しかしながら、本発明はこれに限らない。すなわち、開放位置に内側羽根５７１，５８１及び外側羽根５７２，５８２が配置された場合に、駆動手段５３の動作が停止するように構成してもよい。更に、開放位置及び閉塞位置の少なくともいずれかの位置に移動した内側羽根５７１，５８１及び外側羽根５７２，５８２を検出する検出手段を設け、当該検出手段による検出結果に基づいて、上記制御装置が駆動手段５３の動作を制御する構成としてもよい。また、開口部５１１を閉塞する際に、内側羽根５７１，５８１が互いに近接する側の端部で当接する場合には、移動規制部５１Ｂ２，５１Ｂ６はなくてもよい。
【００９９】
上記実施形態では、環状体付勢部材としての付勢部材５２５、ギア用付勢部材としての付勢部材５４５５及び羽根用付勢部材としての付勢部材５４６４は、それぞれ圧縮コイルばねとしたが、本発明はこれに限らない。すなわち、付勢対象に対して付勢力を作用させることができれば、各付勢部材５２５，５４５５，５４６４は、他の構成でもよい。例えば、ゴム等の弾性部材を付勢部材として採用してもよい。
【０１００】
上記実施形態では、プロジェクター１は、３つの液晶パネル４４１（４４１Ｒ，４４１Ｇ，４４１Ｂ）を備えるとしたが、本発明はこれに限らない。すなわち、２つ以下、あるいは、４つ以上の液晶パネルを用いたプロジェクターにも、本発明を適用可能である。
上記実施形態では、光束入射面と光束射出面とが異なる透過型の液晶パネル４４１を用いていたが、光入射面と光射出面とが同一となる反射型の液晶パネルを用いてもよい。
【０１０１】
上記実施形態では、光入射面と光出射面とが異なる透過型の液晶パネル４４１を用いていたが、光入射面と光出射面とが同一となる反射型の液晶パネルを用いてもよい。また、入射光束を変調して画像情報に応じた画像を形成可能な光変調装置であれば、マイクロミラーを用いたデバイス、例えば、ＤＭＤ（Digital Micromirror Device）等を利用したものなど、液晶以外の光変調装置を用いてもよい。
【符号の説明】
【０１０２】
１…プロジェクター、２…外装筐体、５…シャッター装置、５３…駆動手段（移動手段）、５４…伝達手段（移動手段）、２３１…開口部、５２２…ギア支持部（ギア支持手段）、５２３…ピン、５２４…環状体、５２５…付勢部材（環状体付勢部材）、５４１…ギア（伝達ギア）、５４４…リングギア、５４５…伝達調整部（第１羽根用駆動部、第３羽根用駆動部）、５４６…羽根駆動部（第１羽根用駆動部、第３羽根用駆動部）、５４７…伝達調整部（第３羽根用駆動部、第１羽根用駆動部）、５４８…羽根駆動部（第３羽根用駆動部、第１羽根用駆動部）、５７１…内側羽根（第１羽根及び第３羽根）、５７２…外側羽根（第２羽根及び第４羽根）、５８１…内側羽根（第３羽根及び第１羽根）、５８２…外側羽根（第４羽根及び第２羽根）、５１Ｂ１，５１Ｂ５…移動規制部（第２羽根用規制部）、５１Ｂ４，５１Ｂ８…移動規制部（第１羽根用規制部）、５２４２…回転規制部、５４５１…第１ギア部、５４５２…第２ギア部、５４５５…付勢部材（ギア用付勢部材）、５４６４…付勢部材（羽根用付勢部材）、５２３１２…直線部（回転規制部）。
【図１】
2015011053.tif 000003
【図２】
2015011053.tif 000004
【図３】
2015011053.tif 000005
【図４】
2015011053.tif 000006
【図５】
2015011053.tif 000007
【図６】
2015011053.tif 000008
【図７】
2015011053.tif 000009
【図８】
2015011053.tif 000010
【図９】
2015011053.tif 000011
【図１０】
2015011053.tif 000012
【図１１】
2015011053.tif 000013
【図１２】
2015011053.tif 000014
【図１３】
2015011053.tif 000015
【図１４】
2015011053.tif 000016